(57)【要約】【課題】シートの切断時に、切断されたシート片が切断刃に付着することのない切断装置を提供する。【解決手段】切断装置は、固定刃１１０と、固定刃１１０に接触した状態で回転駆動されるとともに、図中Ｙ方向に駆動される可動刃１２０とによりシールシート１０を切断する。固定刃１１０の近傍には、固定刃１１０と対向するように、支持機構２００が設けられている。支持機構２００は、その上端２１２が、固定刃１１０の刃１１２の近傍において、刃１１２に沿うように形成されている。【選択図】　　　図３
2004025356.tif 000002
【特許請求の範囲】
【請求項１】
シートの切断予定部分に、刃が当接するように設けられた固定刃と、
刃を形成する一方の面を、シートの切断予定部分が通過した後、前記固定刃の刃を形成する一方の面に対して摺動可能に保持された可動刃と、
前記固定刃の一方の面側に設けられ、前記固定刃の刃と離間した位置にて、該刃に沿って延在し、前記可動刃の通過により切断されたシート片の切断端が、前記固定刃の底部から離れる方向に、該シート片が回動する際の支軸となる位置に設けられた支持機構と、
を具備することを特徴とする切断装置。
【請求項２】
前記可動刃の通過により切断されたシートのうち、前記固定刃の一方の面側に位置するシート片の切断端が、前記固定刃の底部から離れる方向に、該シート片が支持機構を支軸として回動するための力を、該シート片に加える回動力付与手段をさらに備える
ことを特徴とする請求項１に記載の切断装置。
【発明の詳細な説明】
【０００１】
【発明の属する技術分野】
この発明は、シートを切断する切断装置に関する。
【０００２】
【従来の技術】
粘着面を有するシールに、剥離紙が仮止めされたシールシートが広く用いられている。このようなシールシートは、使用者の目的に合わせて適当な大きさに切断された後、製品ラベルなどの用途に供する。一般に、シールシートを切断するための装置としては、固定刃と可動刃とを含む切断装置が用いられる。ここで、図７は、従来の切断装置の構成を示す図である。この図に示されるように、シールシート１０が載置されるテーブル１０２の側部には、固定刃１１０が固定されている。固定刃１１０の近傍には、回転刃である可動刃１２０が設けられおり、可動刃１２０は、モータ１２２により回転駆動されるとともに、固定刃１１０に接触した状態で、図中Ｙ方向に駆動されることにより、シールシート１０を切断する。
【０００３】
【発明が解決しようとする課題】
ところで、このような切断装置においては、シールシート１０から切断されたシート片１０ｂの粘着剤１０ａが、固定刃１１０の側面１１４や可動刃１２０の刃面１２７に付着する。このため、シート片１０ｂは、切断後においても、固定刃１１０に付着したままの状態となり、切断の度にシート片１０ｂを取り外さなければならなく、そのような作業が煩雑であった。
また、切断装置を、シールシートの切断、および、紙などの粘着剤を含まないシートの切断に兼用した場合においても、シールシートの切断により切断刃に付着した粘着剤により、紙などのシート片が切断刃に付着してしまう、という問題が生じる。
【０００４】
本発明は、上記事情を鑑みてなされたものであり、その目的とするところは、シートの切断時に、切断されたシート片が切断刃に付着することのない切断装置を提供することにある。
【０００５】
【課題を解決するための手段】
上記課題を解決するため、この発明にかかる切断装置は、粘着剤を含むシートの切断予定部分に、刃が当接するように設けられた固定刃と、刃を形成する一方の面を、シートの切断予定部分が通過した後、前記固定刃の刃を形成する一方の面に対して摺動可能に保持された可動刃と、前記固定刃の一方の面側に設けられ、前記固定刃の刃と離間した位置にて、該刃に沿って延在し、前記可動刃の通過により切断されたシート片の切断端が、前記固定刃の底部から離れる方向に、該シート片が回動する際の支軸となる位置に設けられた支持機構とを具備することを特徴とする。
【０００６】
このような構成によれば、可動刃の通過により切断されたシート片のうち、固定刃の一方の面側に位置するシート片は、自重により、支持機構を支軸として、切断端が固定刃の底部から離れる方向に回動する。この回動により、切断刃に接着したシート片は、切断と略同時に切断刃から引き離され、その結果、該シート片は、落下することとなる。
【０００７】
【発明の実施の形態】
以下、本発明の実施の形態について図面を参照して説明する。
【０００８】
＜第１実施形態＞
図１は、本発明の第１実施形態にかかる切断装置の上面図である。また、図２は、図１におけるＢ−Ｂ’線からみた切断装置の正面図である。これらの図に示されるように、切断装置１００には、シールシートを載置するためのテーブル１０２が設けられている。テーブル１０２の側部には、直線状の刃１１２を有する固定刃１１０が、その刃１１２とテーブル１０２の上面とがほぼ同一平面上に位置するよう固定されている。シールシート１０は、テーブル１０２に載置される際に、その切断予定面１０ｄの下辺が、固定刃１１０の刃１１２と当接するように載置される。
【０００９】
また、切断装置１００は、可動刃１２０を有している。可動刃１２０は、円盤状をしており、その外周に沿って刃面１２７が形成されている。図２に示されるように、可動刃１２０は、その下端が、固定刃１１０の上端より下方に位置し、また、その側面１２９が、固定刃１１０の側面１１４と略同一平面上に含まれるように回転軸１２４に保持される。回転軸１２４は、モータ１２２本体内で回転駆動するロータに連結されており、シールシート１０の切断時において、モータ１２２による回転力を可動刃１２０に伝達する。Ｙ方向駆動機構１４０は、回転軸１２４がＸ方向と同一方向に平行となるようにモータ１２２を保持した状態で、シールシート１０の切断時に、モータ１２２をＹ方向に駆動する。これにより、モータ１２２に連結された可動刃１２０は、図１中の二点鎖線により示されるように、その側面１２９と固定刃１１０の側面１１４とが接触した状態でＹ方向に移動する。
【００１０】
また、図１および図２に示されるように、固定刃１１０の近傍には、その側面１１４と対向するように、支持機構２００が延在している。さらに詳述すると、支持機構２００は、その上端２１２の高さが、固定刃１１０の刃１１２と略同じ高さとなるように配置されている。支持機構２００の上面２１０は、水平面に対して傾斜しており、固定刃１１０から離れるに従って下降するようになされている。また、支持機構２００は、固定刃１１０と可動刃１２０とによりシールシート１０から切断されるシート片１０ｂの下方に位置しており、シート片１０ｂの端部１０ｃより、切断予定面１０ｄに近接するように位置する。このような構成の下、切断装置１００に含まれる支持機構２００は、固定刃１１０に付着するシート片１０ｂを取り外す役割を果たす。
【００１１】
次に、切断装置１００におけるシールシート１０の切断、および、シート片１０ｂの取り外しの動作について説明する。図３は、シールシート１０の切断、および、シート片１０ｂの取り外しの様子を時系列的に示す図である。この図に示されるように、切断時においては、可動刃１２０が、モータ１２２により回転駆動されるとともに、Ｙ方向駆動機構１４０により固定刃１１０に接触した状態でＹ方向に駆動される。このような可動刃１２９の移動により、シールシート１０から、シート片１０ｂが切断される。
【００１２】
切断されたシート片１０ｂの切断端１０ｅは、可動刃１２０によって、押し下げられる（図３上段）。このため、切断端１０ｅは、前回までの切断により既に固定刃１１０の側面１１４に付着した粘着剤１０ａと接着してしまう。
【００１３】
しかし、切断装置１００は、支持機構２００を備えているため、以下のようにして、側面１１４から切断端１０ｅを取り外す。支持機構２００は、シート片１０ｂの端部１０ｃまでの距離Ｌ１が、切断端１０ｅ（すなわち切断予定面１０ｄ）までの距離Ｌ２より長くなるように位置している。このため、シート片１０ｂは、自重による力のつりあいから、時計回りに回動しようとする。この動作により、シート片１０ｂの切断端１０ｅには上向きの力が作用し、固定刃１１０に付着する切断端１０ｅは、切断と略同時に固定刃１１０の側面１１４から引き離される（図３中段）。これにより、固定刃１１０に付着したシート片１０ｂは、自重により落下することとなる（図３下段）。
【００１４】
このように、切断装置１００によれば、シート片１０ｂを、支持機構２００を支軸として回転させることにより、切断と略同時にシート片１０ｂを固定刃１１０から取り外すことができる。また、支持機構２００は、その上面２１０が固定刃１１０から離れるに従って下降するように形成されている。このため、支持機構２００は、シート片１０ｂが時計方向に回動する際に、その動作を妨げるおそれもない。
【００１５】
さらに、切断装置１００によれば、シート片１０ｂを取り外すための機構として、単に支持機構２００を備えるのみで良い。従って、シート片１０ｂの付着を防止するための構成として、特別な駆動機構などが不要となり、その構成が簡易なものとなる。
【００１６】
＜第２実施形態＞
上述した第１実施形態においては、シート片１０ｂを、自重により回動させるための支持機構２００を備えた切断装置１００について説明したが、さらに、回動に要する力をシート片１０ｂに付与する機構を備えても良い。図４は、そのような切断装置の正面図である。この図に示されるように、第２実施形態における切断装置４００が、上述した切断装置１００と比較して特徴的な点は、押下部材３００を有している点にある。
【００１７】
押下部材３００は、シート片１０ｂの端部１０ｃを含む垂直面と、支持機構２００の側面２１４を含む垂直面との間に位置するようにＹ方向駆動機構１４０に保持されており、シールシート１０の切断時に、モータ１２２とともにＹ方向に駆動される。また、押下部材３００の下面３１０は、Ｘ方向およびＹ方向の各々の方向に関して、水平面に対して傾斜するようになされている。より詳細には、Ｘ方向について、下面３１０は、固定刃１１０から離れるに従って、下降するようになされている。また、図５は、可動刃１２０および押下部材３００の側面図である。この図に示されるように、押下部材３００の下面３１０は、Ｙ方向について、進行方向前方より後方ほど下降するようになされている。そして、押下部材３００は、その下面３１０の前端部３１２が、可動刃１２０の刃１２８（外周）におけるシールシート１０の延在面１０ｓとの交点近傍（進行方向前方側）に位置するように、Ｙ方向駆動手段により保持される。
【００１８】
このような構成の下、切断装置４００においては、以下のようにして、シールシート１０を切断する。図６は、シールシート１０の切断、および、シート片１０ｂの取り外しの様子を時系列的に示す図である。この図に示されるように、可動刃１２０がＹ方向に移動すると、可動刃１２０の刃１２８がシールシート１０に当接するのと略同時に、押下部材３００の下面３１０がシート片１０ｂに当接し、押下部材３００によるシート片１０ｂの押下が開始する（図６上段）。この際、押下部材３００は、シート片１０ｂのうち、支持機構２００からみて図中右側の部分を押下する。このようにしてシート片１０ｂが押下されると、第１実施形態と同様に、シート片１０ｂが、支持機構２００を支軸として、図中矢印で示される時計方向に回動する（図６中段）。これにより、シールシート１０の切断と略同時に、切断端１０ｅは、上方に移動し、固定刃１１０の側面１１４から引き離される。そして、固定刃１１０に付着したシート片１０は、落下することとなる（図６下段）。
【００１９】
このような押下部材３００を設けることにより、シート片１０ｂの全幅（Ｘ方向）が狭い場合や、シールシート１０が軽量である場合に、自重の釣り合いのみによりシート片１０ｂが回動することができなくとも、押下部材３００により強制的にシート片１０ｂを回動させ、シート片１０ｂを固定刃１１０から確実に引き離すことが可能となる。したがって、切断装置４００にあっては、支持機構２００が配置される位置は、シート片１０ｂの端部１０ｃより切断端１０ｅに近接した位置である必要は必ずしもなく、少なくとも、押下部材３００より固定刃１１０側に位置すれば良い。また、押下部材３００は、その下面３１０が固定刃１１０から離れるに従って下降している。このため、押下部材３００によれば、回動を案内しつつ、シート片１０ｂを押下することができる。
【００２０】
＜変形例＞
なお、上述した実施形態に限られず、種々の応用・改良変形等を加えることが可能である。
例えば、上述した各実施形態においては、切断装置１００，４００における可動刃１２０として、回転刃を適用したが、可動刃１２０は、直線状の刃を有する切断刃を適用しても良い。また、上述した各実施形態においては、可動刃１２０を駆動する手段として、モータ１２２およびＹ方向駆動機構１４０を備える構成としたが、直線状の刃を有する可動刃を、人力により動かす構成としても良い。
【００２１】
また、上述した各実施形態においては、切断装置１００，４００に、シールシート１０を配置するためのテーブル１０２を備える構成としたが、これに限られない。例えば、ロール状のシールシート１０を、一対のローラにより、シールシート１０の切断予定部分が、固定刃１１０の刃１１２と当接するように保持する構成としても良い。
【００２２】
くわえて、上述した第２実施形態においては、可動刃１２０とともにＹ方向に移動する押下部材３００を説明したが、切断後のシート片１０ｂを押下する構成は、これに限られない。例えば、完全にシールシート１０からシート片１０ｂが分断された後、該シート片１０ｂを押下するような押下部材を備える構成としても良い。要は、切断されたシート片１０ｂに、支持機構２００を支軸として回動させるため力を付与するものであれば、いかなるものでもあってもよい。
【００２３】
さらに、上述した各実施形態においては、粘着剤１０ａを含むシート片１０ｂを切断刃から取り外す例を説明したが、上記構成によれば、粘着剤を含まないシートの切断時において、シート片が、切断刃に付着した場合であっても、該シート片を切断刃から取り外す事が可能である。
【００２４】
【発明の効果】
以上説明したように、本発明によれば、シートの切断時に、切断されたシート片が切断刃に付着することのない切断装置が提供される。
【図面の簡単な説明】
【図１】本発明の第１実施形態にかかる切断装置の上面図である。
【図２】同切断装置の正面図である。
【図３】同切断装置においてシールシートが切断されている様子を時系列的に示す図である。
【図４】本発明の第２実施形態にかかる切断装置の正面図である。
【図５】同切断装置に含まれる可動刃および押下部材の側面図である。
【図６】同切断装置においてシールシートが切断されている様子を時系列的に示す図である。
【図７】従来の固定刃と可動刃とを含む切断装置を示す図である。
【符号の説明】
１００，４００…切断装置、１１０…固定刃、１１２…刃、１１４…側面、１２０…可動刃、１２２…モータ、１２４…回転軸、１２７…刃面、１２８…刃、１２９…側面、１４０…Ｙ方向駆動機構、２００…支持機構、２１０…上面、２１２…上端、３００…押下部材、３１０…下面、３１２…前端部、１０…シールシート、１０ａ…粘着剤、１０ｂ…シート片、１０ｄ…切断予定面、１０ｅ…切断端。
【図１】
2004025356.tif 000003
【図２】
2004025356.tif 000004
【図３】
2004025356.tif 000005
【図４】
2004025356.tif 000006
【図５】
2004025356.tif 000007
【図６】
2004025356.tif 000008
【図７】
2004025356.tif 000009